(57)【要約】      （修正有）【課題】組み立て時の作業性が良く、複数段に重ねて保管されたときでも開封済み等の表示が誤認されにくい表示付き包装箱を提供する。【解決手段】組み立て状態で角筒体７８を形成する側面板１４，１６，１８，２０を備える。第一の側面板１４の連接方向に対して直角方向の端部に延設され、角筒体７８の一方の端部を塞ぐ蓋部となる蓋片３２を備える。第二の側面板１６の蓋片３２側の端部、及び蓋片３２の側端部に挟まれた角部に設けられ、第二の側面板１６及び蓋片３２に連続する表示片４４を備える。表示片４４と第二の側面板１６との境界部に、破断線４６を備える。蓋部３２が開封された後、使用者が破断線４６を破断して再封すると、表示片４４が第二の側面板１６の外側に吊り下がり、外から視認可能になる。【選択図】図３
0003206199.tif 000002
【実用新案登録請求の範囲】
【請求項１】
一枚の箱体形成片から成り、前記箱体形成片は、
互いに平行に連接され、組み立て状態で角筒体を形成する複数の側面板と、
前記複数の側面板の中の１つである第一の側面板の、前記連接方向に対して直角方向の端部に延設され、組み立て状態で前記角筒体の一方の端部を塞ぐ蓋部となる蓋片と、
前記第一側面板の隣に位置する前記側面板である第二の側面板の、前記蓋片側の端部、及び前記蓋片の側端部に挟まれた角部に設けられ、前記第二側面板及び前記蓋片に連続する表示片と、
前記表示片と前記第二の側面板との境界部に設けられた破断線とを有し、
組み立て状態で、前記表示片は前記蓋片の内側に収まり、前記蓋部が開封された後、使用者が前記破断線を破断し、前記表示片を前記第二の側面板の外側に吊り下がるように引き出すことにより、前記表示片が視認可能になることを特徴とする表示付き包装箱。
【請求項２】
前記表示片と前記蓋片との境界部には第一折罫線が設けられ、
前記表示片は、前記第一折罫線及び前記破断線が交差する点を起点にして斜めに設けられた第二折罫線で２つの部分に区切られ、
組み立て状態で、前記表示片は、前記破断線、前記第一折罫線及び前記第二折罫線で折り曲げられ、前記２つの部分が重なるように前記蓋片の内側に収まる請求項１記載の表示付き包装箱。
【考案の詳細な説明】
【技術分野】
【０００１】
本考案は、開封済みであること等を示す表示を備えた表示付き包装箱に関する。
【背景技術】
【０００２】
従来、例えば特許文献１に開示されているように、略直方体の箱体であって、組み立て状態で、上蓋の内側に重ねられるサイドフラップの基端部に、サイドフラップと側面板を区切る折罫線とＵ字状の破断線とで囲まれた延長表示部が設けられた包装用箱があった。この包装用箱は、延長表示部には開封済みを意味する表示がされており、開封前の組み立て状態では、延長表示部が上蓋の内側にあって外から視認できない。開封された後、使用者が破断線を破断し、延長表示部をサイドフラップの内側から引き上げ、延長表示部を箱体の外に引き出した状態でサイドフラップを折り戻し、上蓋を閉じて再封すると、延長表示部の表示が外から視認できる状態になる。
【０００３】
また、特許文献２に開示されているように、略直方体の箱体であって、蓋部を構成する蓋片の側端部に補助片が延設され、補助片の内側に、補助破断線で区切られた表示部が設けられた表示付き包装箱があった。この包装箱は、組み立て状態で、補助片は、表示部以外の部分が蓋片の内面に糊付けされて箱体の内側に収まった視認できず、蓋部が開封された後、使用者が補助破断線を破断し、表示部を蓋片から引き離した状態で再封すると、側面板の外側に吊り下がり、表示部の「開封済」の表示が視認できる状態になる。
【先行技術文献】
【特許文献】
【０００４】
【特許文献１】登実３１９４８３４号公報
【特許文献２】登実３１９９７９７号公報
【考案の概要】
【考案が解決しようとする課題】
【０００５】
特許文献１の包装用箱の場合、サイドフラップは、組み立て状態で上蓋の内側に重なるように折り曲げられているため、サイドフラップの基端部の基材（厚紙等）に折り曲げ方向のクセがついており、開封した後、延長表示部をサイドフラップから引き上げ、延長表示部を箱体の外に引き出して再封すると、延長表示部が上蓋よりも上方に起立する状態になる。したがって、例えば、再封された包装用箱が複数段に重ねて保管されたとき、下段の包装用箱の延長表示部が上段の包装用箱の側方に配置されることになり、使用者がこれを見ると、上段の包装用箱が開封済みであると誤認しやすいものである。また、特許文献１に、延長表示部の変形例が複数記載されているが、いずれもこの問題を解決できるものではない。
【０００６】
特許文献２の表示付き包装箱の場合、組み立てる時、表示部を有する補助片の一部を糊付けする作業が必要になる。したがって、より組み立てやすい構造であることが求められている。
【０００７】
本考案は、上記背景技術に鑑みて成されたものであり、組み立て時の作業性がよく、複数段に重ねて保管されたときでも開封済み等の表示が誤認されにくい表示付き包装箱を提供することを目的とする。
【課題を解決するための手段】
【０００８】
本考案は、一枚の箱体形成片から成り、前記箱体形成片は、互いに平行に連接され、組み立て状態で角筒体を形成する複数の側面板と、前記複数の側面板の中の１つである第一の側面板の、前記連接方向に対して直角方向の端部に延設され、組み立て状態で前記角筒体の一方の端部を塞ぐ蓋部となる蓋片と、前記第一側面板の隣に位置する前記側面板である第二の側面板の、前記蓋片側の端部、及び前記蓋片の側端部に挟まれた角部に設けられ、前記第二側面板及び前記蓋片に連続する表示片と、前記表示片と前記第二の側面板との境界部に設けられた破断線とを有し、組み立て状態で、前記表示片は前記蓋片の内側に収まり、前記蓋部が開封された後、使用者が前記破断線を破断し、前記表示片を前記第二の側面板の外側に吊り下がるように引き出すことにより、前記表示片が視認可能になる表示付き包装箱である。
【０００９】
前記表示片と前記蓋片との境界部には第一折罫線が設けられ、前記表示片は、前記第一折罫線及び前記破断線が交差する点を起点にして斜めに設けられた第二折罫線で２つの部分に区切られ、組み立て状態で、前記表示片は、前記破断線、前記第一折罫線及び前記第二折罫線で折り曲げられ、前記２つの部分が重なるように前記蓋片の内側に収まる構成にすることが好ましい。
【考案の効果】
【００１０】
本考案の表示付き包装箱は、例えば開封済みであることを示す表示を、外から容易且つ確実に視認することができる。しかも、表示片が箱体の側面に吊り下がるような状態になるので、箱体を複数段に重ねて保管されたときでも、どの箱体に関する表示なのかが非常に分かりやすく、使用者が誤認しにくいものである。
【００１１】
また、組み立て時、表示片は、第一及び第二折罫線等で折り曲げることによって容易に箱体の中に収めることができるので、組み立ての作業性もよい。
【図面の簡単な説明】
【００１２】
【図１】本考案の表示付き包装箱の一実施形態の組み立て状態を示す斜視図である。
【図２】この実施形態の表示付き包装箱の箱体形成片を表面側から見た展開図である。
【図３】図２の箱体形成片の組み立て工程を示す図である。
【図４】この実施形態の包装箱の蓋部を開封した状態を示す斜視図である。
【図５】この実施形態の包装箱の蓋部を再封した状態を示す斜視図である。
【考案を実施するための形態】
【００１３】
以下、本考案の表示付き包装箱の一実施形態について、図面に基づいて説明する。この実施形態の表示付き包装箱１０は、図１に示すように、略直方体の箱体であり、厚紙等の素材で成る一枚の箱体形成片１２を組み立てることによって形成される。
【００１４】
箱体形成片１２は、図２（ａ）に示すように、互いに平行に連接された４つの側面板１４，１６，１８，２０を有している。４つの側面板１４，１６，１８，２０は、連接方向と直交する幅方向の長さが同じであり、連接方向の長さは、側面板１４，１８が長くて互いにほぼ等しく、側面板１６，２０が短くて互いにほぼ等しい。さらに、連接方向の側面板２０側の端部には、組み立て状態で側面板１４の裏面の端部に糊付けされる糊付け片２２が設けられている。４つの側面板１４，１６，１８，２０及び糊付け片２２は、各々折罫線２４，２６，２８，３０で区切られている。以下、側面板１４を第一の側面板１４、第一の側面板１４の隣に位置する側面板１６を第二の側面板１６と称する。
【００１５】
第一の側面板１４の、連接方向に対して直角方向の一端部には、略長方形の蓋片３２が延設され、折罫線３４で側面板２０と区切られている。蓋片３２の延出方向長さは、第二の側面板１６の連接方向長さとほぼ同じである。蓋片３２の先端部には、差し込み片３６が延設され、折罫線３８で蓋片３２と区切られて設けられている。
【００１６】
また、第一の側面板１４の、蓋片３２と反対側の端部には、台形状の外側底片４０が延設され、折罫線４２で第一の側面板１４と区切られている。外側底片４０の延出方向長さは、第二の側面板１６の連接方向長さと同じか、又は僅かに短い。
【００１７】
第二の側面板１６の蓋片３２側の端部、及び蓋片３２の側端部に挟まれた角部には、略四角形の表示片４４が設けられ、第二側面板１６及び蓋片３２に連続している。表示片４４は、図２（ｂ）に示すように、第二の側面板１６との境界部に破断線４６が設けられ、蓋片３２との境界部には、第一折罫線４８が設けられている。また、表示片４４は、第一折罫線４８及び破断線４６が交差する点を起点にして斜めに設けられた第二折罫線５０により、２つの部分４４ａ，４４ｂに区切られている。この表示片４４は、表示付き包装箱１０が開封済みであることを表示する部分で、第一折罫線４８の付近に「開封済」の文字が印刷されている。
【００１８】
第二の側面板１６の、表示片４４と反対側の端部には、サイドフラップ５２が延設され、折罫線５４で第二の側面板１６と区切られている。
【００１９】
側面板１８の、破断線４６に連続する端辺５６の内側には、使用者が開封する際に指で押圧する開封用押圧部５８が設けられている。開封用押圧部５８は、端辺５６の中央部とＵ字状の破断線６０に囲まれて周囲と区切られている。
【００２０】
また、側面板１８の、端辺５６と反対側の端部には、台形状の内側底片６２が延設され、折罫線６４で側面板１８と区切られている。内側底片６２の大きさは、外側底片４０よりも僅かに小さい。さらに、側面板１８の、折罫線６４側の端部の内側には、使用者が箱体を廃棄する際に指で押圧する分解用押圧部６６が設けられている。分解用押圧部６６は、折罫線６４と円弧状の破断線６８に囲まれて周囲と区切られている。
【００２１】
側面板２０の、端辺５６に連続する端部には、サイドフラップ７０が延設され、折罫線７２で側面板２０と区切られている。側面板２０の反対側の端部には、サイドフラップ７４が延設され、折罫線７６で側面板２０と区切られている。
【００２２】
次に、表示付き包装箱１０の組み立て方法の一例を説明する。ここでは、箱体形成片１２の表面が凸になる折り方を正折り、裏面が凸になる折り方を逆折りと称する。
【００２３】
まず、折罫線３０を正折りして糊付け片２２を側面板２０に重ね、糊付け片２２の表面に糊を塗布する。そして、折罫線２６を正折りして第一及び第二の側面板１４，１６を側面板１８，２０に重ね、糊付け片２２を第一の側面板１４の裏面の端部に糊付けする。箱体形成片１２は、この折り畳まれた状態で出荷される。
【００２４】
次に、商品等の収容物を包装する工場等で立体的に組み立てる。まず、折罫線２４，２６，２８，３０を各々９０度に正折りし、四角形の角筒体７８を形成する。その後、角筒体７８の一端部を塞ぐ底部を設けるため、折罫線５４，７６でサイドフラップ５２，７４を各々９０度に正折りし、折罫線６４で内側底片６２を９０度に正折りする。その後、外側底片４０の裏面中央部に糊を塗布し、折罫線４２で外側底片４０を９０度に正折りし、外側底片４０を内側底片６２の表面に糊付けし、外側底片４０と内側底片６２が一体になった底部が形成される。これで、図３に示すように、角筒体７８の一端部が閉鎖された状態になり、開放している側の端部から中に収容物を入れる。
【００２５】
収容物を入れると、角筒体７８の開放している側の端部を塞ぐため、折罫線７２でサイドフラップ７０を９０度に正折りする。また、差し込み片３６の表面中央部に糊を塗布し、折罫線３８で差し込み片３６を９０度に正折りする。次に、折罫線３４で蓋片３２を９０度に正折りするとともに、表示片４４を折り畳むため、第一折罫線４８を正折りし、第二折罫線５０を逆折し、破断線４６を正折りする。すると、表示片４４の部分４ａ，４４ｂが互いに折り重なり、蓋片３２の裏面側に配置される。そして、差し込み片３６を側面板１８の内側に差し込んで開封用押圧部５８の裏面に糊付けし、蓋部が形成される。これで商品の包装作業が終了して図１に示す組み立て状態となり、この状態で出荷され、商店等で販売される。組み立て状態では、表示片４４が箱体内に収まっているので、「開封済」の表示は外から見えない。
【００２６】
使用者が表示付き包装箱１０の蓋部を開封するときは、まず、側面板１８の開封用押圧部５８を指で押して破断線６０を破断させ、開封用押圧部５８を側面板１８から分離させる。そして、差し込み片３６及び蓋片３２を引き上げ、サイドフラップ７０を引き上げ、さらに、表示片４４を引き上げて破断線４６を破断させる。すると、図４に示すように、蓋片３２等で塞がれていた角筒体７８の一端部が広く開放し、中の収容物を取り出すことができる。開封用押圧部５８は、側面板１８から分離するが、差し込み片３６に糊付けされているのでゴミにはならない。
【００２７】
その後、開封した蓋部を再封するとき、まず、サイドフラップ７０を９０度に正折りする。そして、表示片４４を第二折罫線５０で折り曲げずに伸ばしたまま、蓋片３２から大きく離間させた状態で蓋片３２を９０度に正折りし、差し込み片３６を側面板１８とサイドフラップ７０との隙間に差し込んで係合させる。これで、図５に示すように、角筒体７８の一端部が閉鎖されるとともに、表示片４４が第二の側面板１６の外側に吊り下がるように支持され、表面に印刷された「開封済」の表示が現れる。表示片４４が吊り下がるように支持されるのは、第一折罫線４８が組み立て状態で正折りされ、表示片４４の基端部の基材（厚紙等）に折り曲げ方向のクセがついているからであり、表示片４４は、蓋片３２よりも上方に起立せず、下向きに吊り下げられた状態になる。
【００２８】
表示付き包装箱１０を廃棄するときは、まず、側面板１８の分解用押圧部６６を指で押して破断線６８を破断させ、開封用押圧部５８を側面板１８から分離させ、底部を分解する。これで、底片（外側底片４０及び内蓋底片６２）とフラップ５２，７４を引き上げることができ、表示付き包装箱１０を平坦に折り畳んでコンパクトに廃棄することができる。
【００２９】
以上説明したように、表示付き包装箱１０は、開封後に再封されたとき、表示片４４に印刷された「開封済」の表示が外から視認可能になり、蓋部が開封されたことを確実に示すことができる。しかも、表示片４４が第二の側面板１６の外側面と略平行に吊り下がるような状態になるので、箱体を複数段に重ねて保管されたときでも、開封された包装箱の側面に表示片４４が位置し、どの箱体に関する表示なのかが非常に分かりやすく、使用者が誤認しにくい。
【００３０】
また、特許文献２の表示付き包装箱の場合、組み立て時に表示部を箱体の中に収めるため、補助片の一部を糊付けする作業が必要になるが、この表示付き包装箱１０の場合、表示片４４を破断線４６、第一及び第二折罫線４８，５０で折り曲げることで容易に箱体の中に収めることができるので、組み立て時の作業効率をさらに向上させることができる。
【００３１】
なお、本考案の表示付き包装箱は、上記実施形態に限定されるものではない。例えば、開封済みであること示す表示は、「開封済」の文字を印刷する以外に、表示部に絵柄を印刷して表示する方法、表示部を着色することによって表示する方法、表示部の形状デザインによって表示する等、他の方法で設けてられてもよい。さらに、表示内容は、開封済みであることを示す以外に、内容物の表示や注意事項、開封に伴う注意事項であっても良い。
【符号の説明】
【００３２】
１０  表示付き包装箱
１２  箱体形成片
１４  第一の側面板
１６  第二の側面板
１８，２０  側面板
３２  蓋片
４４  表示片
４４ａ，４４ｂ  部分
４６  破断線
４８  第一折罫線
５０  第二折罫線
７８  角筒体
【図１】
0003206199.tif 000003
【図２】
0003206199.tif 000004
【図３】
0003206199.tif 000005
【図４】
0003206199.tif 000006
【図５】
0003206199.tif 000007